【手続補正書】
【提出日】平成21年11月4日(2009.11.4)
【手続補正１】
【補正対象書類名】明細書
【補正対象項目名】００１０
【補正方法】変更
【補正の内容】
【００１０】
上述したことを考慮すると、物理的および機械的特性の好ましい組み合わせ示すコポリカーボネート／ホスホネート類を製造する、単純、容易、且つ費用効率の良い方法が必要である。従って、本発明では、このような材料を生成する方法を開示する。この組成物は、ポリカーボネートに比べて著しく改善された耐炎性を示すコポリカーボネート／ホスホネート類を含み、例えば熱変形温度、低色度、高靭性、加水分解安定性、およびガラス転移温度（Ｔｇ）等のポリカーボネートの特性に対して最小限の犠牲にとどめたものである。さらに、本発明のコポリカーボネート／ホスホネート類は、ランダムコポリカーボネート／ホスホネート類に比べて、高いＴｇ，優れた熱変形温度および靭性を示す。
この出願の発明に関連する先行技術文献情報としては、以下のものがある（国際出願日以降国際段階で引用された文献及び他国に国内移行した際に引用された文献を含む）。
【特許文献１】米国特許第２，６８２，５２２号明細書
【特許文献２】米国特許第２，７１６，１０１号明細書
【特許文献３】米国特許第３，３２６，８５２号明細書
【特許文献４】米国特許第５，２１６，１１３号明細書
【特許文献５】米国特許第５，３３４，６９２号明細書
【特許文献６】米国特許第３，４４２，８５４号明細書
【特許文献７】米国特許第６，２９１，６３０号明細書
【特許文献８】米国特許第４，５９４，４０４号明細書
【特許文献９】米国特許第６，８６１，４９９号明細書
【特許文献１０】米国特許第３，９３２，３５１号明細書
【特許文献１１】米国特許第４，０３３，９２７号明細書
【特許文献１２】米国特許第４，１５２，３７３号明細書
【特許文献１３】米国特許第４，３３２，９２１号明細書
【特許文献１４】米国特許第４，４０８，０３３号明細書
【特許文献１５】米国特許第４，４７４，９３７号明細書
【特許文献１６】米国特許第５，００３，０２９号明細書
【特許文献１７】米国特許出願公開第２００５／００２０８００号明細書
【特許文献１８】米国特許第５，９１９，８４４号明細書
【特許文献１９】米国特許出願公開第２００５／０２２２３７０号明細書
【特許文献２０】米国特許出願公開第２００４／０１６７２８４号明細書
【特許文献２１】米国特許第４，０７８，０１６号明細書
【特許文献２２】米国特許第３，２７１，３２９号明細書
【特許文献２３】米国特許第３，９３２，５６６号明細書
【特許文献２４】米国特許第２，５３４，２４２号明細書
【特許文献２５】米国特許第４，３７７，５３７号明細書
【特許文献２６】米国特許第３，１５３，００８号明細書
【特許文献２７】米国特許第５，０３９，７７５号明細書
【特許文献２８】米国特許第５，０８６，１５３号明細書
【特許文献２９】米国特許第５，３１９，０５８号明細書
【特許文献３０】米国特許第５，５２５，６８１号明細書
【特許文献３１】米国特許第４，０６４，１０７号明細書
【特許文献３２】米国特許第５，７１９，２００号明細書
【特許文献３３】米国特許第５，６３９，８００号明細書
【特許文献３４】米国特許第４，２５４，１７７号明細書
【特許文献３５】米国特許第５，０３４，０５６号明細書
【特許文献３６】米国特許第４，０４８，１０６号明細書
【特許文献３７】米国特許出願公開第２００６／００２０１０４号明細書
【特許文献３８】米国特許第４，０９３，５８２号明細書
【特許文献３９】米国特許第３，９５２，０７２号明細書
【特許文献４０】米国特許第２，８９１，９１５号明細書
【特許文献４１】米国特許第４，３３１，６１４号明細書
【特許文献４２】米国特許第４，２２３，１０４号明細書
【特許文献４３】米国特許第４，３２２，５２０号明細書
【特許文献４４】米国特許第４，４１０，８０２号明細書
【特許文献４５】米国特許第４，４８１，３５０号明細書
【特許文献４６】米国特許第４，５０８，８９０号明細書
【特許文献４７】米国特許第４，７６２，９０５号明細書
【特許文献４８】米国特許第４，７１９，２７９号明細書
【特許文献４９】米国特許第４，７８２，１２３号明細書
【特許文献５０】米国特許第３，１５３，００８号明細書
【特許文献５１】米国特許第２，４３５，２５２号明細書
【特許文献５２】米国特許第４，３７４，９７１号明細書
【特許文献５３】米国特許第４，７８８，２５９号明細書
【特許文献５４】米国特許第４，３５０，７９３号明細書
【特許文献５５】米国特許第６，０６６，７００号明細書
【特許文献５６】国際公開第０３／０２９２５８号パンフレット
【特許文献５７】国際公開第０４／０７６５３６号パンフレット
【特許文献５８】国際公開第０４／０７６５３７号パンフレット
【特許文献５９】欧州特許第００７７４９３号明細書
【特許文献６０】欧州特許第１０２６１９１号明細書
【特許文献６１】英国特許第２０４３０８３号明細書
【特許文献６２】国際公開第９９／４６３１５号パンフレット
【非特許文献１】Ｓｃｈｍｉｄｔ  ｅｔ  ａｌ．，  Ａｒｏｍａｔｉｓｃｈｅ  Ｐｏｌｙｐｈｏｓｐｈｏｎａｔｅ：Ｔｈｅｒｍｏｐｌａｓｔｉｓｃｈｅ  Ｐｏｌｙｍｅｒｅ  ｖｏｎ  ｅｘｔｒｅｍｅｒ  Ｂｒａｎｄｗｉｄｒｉｇｅｉｔ，  １９８５，Ｄｉｅ  Ａｎｇｅｗａｎｄｔｅ  Ｍａｋｒｏｍｏｌｅｋｕｌａｒｅ  Ｃｈｅｍｉｅ，  １３２（２１６５）：１−１８
【非特許文献２】Ｂｉｌｌｍｅｙｅｒ，  Ｔｅｘｔｂｏｏｋ  ｏｆ  Ｐｏｌｙｍｅｒ  Ｓｃｉｅｎｃｅ，  ２ｎｄ  ｅｄ．，  Ｗｉｌｅｙ  Ｉｎｔｅｒｓｃｉｅｎｃｅ，  Ｎｅｗ  Ｙｏｒｋ，  １９７１，  ｐｐ．４５−５２
【非特許文献３】Ｌｅｇｒａｎｄ  ｅｔ  ａｌ．，  ｅｄｓ．，  Ｈａｎｄｂｏｏｋ  ｏｆ  Ｐｏｌｙｃａｒｂｏｎａｔｅｓ，  Ｍａｒｃｅｌ  Ｄｅｋｋｅｒ，  Ｉｎｃ．，  Ｎｅｗ  Ｙｏｒｋ，  ２０００（ＴＯＣ）
【非特許文献４】Ｌｅｖｃｈｉｋ  ｅｔ  ａｌ．，  Ｏｖｅｒｖｉｅｗ  ｏｆ  Ｒｅｃｅｎｔ  Ｄｅｖｅｌｏｐｍｅｎｔｓ  ｉｎ  ｔｈｅ  Ｆｌａｍｅ  Ｒｅｔａｒｄａｎｃｙ  ｏｆ  Ｐｏｌｙｃａｒｂｏｎａｔｅｓ，Ｐｏｌｙｍｅｒ  Ｉｎｔｅｒｎａｔｉｏｎａｌ，５４（７）：９８１−９９８
【非特許文献５】Ｃｏｔｔｅｒ  ｅｔ  ａｌ．，  Ｅｎｇｉｎｅｅｒｉｎｇ  Ｐｌａｓｔｉｃｓ：  Ａ  Ｈａｎｄｂｏｏｋ  ｏｆ  Ｐｏｌｙａｒｙｌｅｔｈｅｒｓ，  Ｓｃｉｅｎｃｅ  Ｐｕｂｌ．  Ｓ．Ａ．，  Ｓｗｉｔｚｅｒｌａｎｄ  １９９５（ＴＯＣ）
【非特許文献６】Ｇｒｏｇｇｉｎｓ，  Ｕｎｉｔ  Ｐｒｏｃｅｓｓｅｓ  ｉｎ  Ｏｒｇａｎｉｃ  Ｓｙｎｔｈｅｓｉｓ，  ４ｔｈ  ｅｄ．，  ＭｃＧｒａｗ  Ｈｉｌｌ  Ｂｏｏｋ  Ｃｏ．，  １９５２，ｐｐ．６１６−６２０
【非特許文献７】Ｍｏｒｇａｎ，Ｃｏｎｄｅｎｓａｔｉｏｎ  Ｐｏｌｙｍｅｒｓ，  Ｗｉｌｅｙ  Ｉｎｔｅｒｓｃｉｅｎｃｅ，  Ｎｅｗ  Ｙｏｒｋ，  １９６５，  ｐｐ．２１７−２２３
【非特許文献８】Ａｍｅｒｉｃａｎ  Ｓｏｃｉｅｔｙ  ｆｏｒ  Ｔｅｓｔ  Ｍｅｔｈｏｄｓ；  Ｔｅｓｔ  ＡＳＴＭＤ２８６３；ｈｔｔｐ：／／ｗｗｗ．ａｓｔｍ．ｏｒｇ／ｃｇｉ−ｂｉｎ／ＳｏｆｔＣａｒｔ．ｅｘｅ；ＤＡＴＡＢＡＳＥ．ＣＡＲＴ／ＲＥＤＬＩＮＥ＿ＰＡＧＥＳ／Ｄ２８６３．ＨＴＭＬ＋ｍｙｓｔｏｒｅ＋ｔｔｑｗ１３３７